(57)【要約】【課題】見栄えがよく断熱性能のよい建物基礎の断熱を施工容易に行うことができる基礎断熱パネルを提供する。【解決手段】コンクリート製の建物基礎の外周に付設される建物基礎断熱パネルであって、中央部に溝部を有する発泡樹脂断熱材と真空断熱材からなり、該真空断熱材が該発泡樹脂断熱材の溝部に嵌合されたことを特徴とする建物基礎断熱パネルがコンクリート基礎立ち上がり部屋外側に接し、該発泡樹脂断熱パネルの外周部に設けられた穿孔を通じて、基礎断熱パネルがコンクリート基礎に締結具で固定されている。【選択図】    図１
2007198004.tif 000002
【特許請求の範囲】
【請求項１】
コンクリート製の建物基礎の外周に付設される建物基礎断熱パネルであって、中央部に溝部を有する発泡樹脂断熱材と真空断熱材からなり、該真空断熱材が該発泡樹脂断熱材の溝部に嵌合されたことを特徴とする建物基礎断熱パネル。
【請求項２】
発泡樹脂断熱材の外周縁部に複数の穿孔が設けられていることを特徴とする請求項１に記載の建物基礎断熱パネル。
【請求項３】
発泡樹脂断熱材の溝部のある側と反対の側の発砲樹脂断熱材の表面が粗らされていることを特徴とする請求項１に記載の建物基礎断熱パネル。
【請求項４】
コンクリート製の建物基礎の外周に建物基礎断熱パネルが付設される建物基礎断熱構造であって、該基礎断熱パネルが中央部に溝部のある発泡樹脂断熱材と真空断熱材からなり、該真空断熱材が該発泡樹脂断熱材の溝部に嵌合され、該発砲樹脂断熱材の溝部を有する側をコンクリート基礎立ち上がり部屋外側に接し、該発泡樹脂断熱パネルの外周部に設けられた穿孔を通じて、該基礎断熱パネルがコンクリート基礎に締結具で固定されていることを特徴とする建物基礎断熱構造。
【発明の詳細な説明】
【技術分野】
【０００１】
本発明は、住宅等の建物基礎の外断熱構造に好適な建物基礎断熱パネル及び建物基礎断熱構造に関する。
【背景技術】
【０００２】
近年、寒冷地において広く採用されている住宅等建物の外断熱構造の１つとして、コンクリート基礎の外周部を発泡樹脂断熱材で覆う基礎断熱構造が知られている。
【特許文献１】特開平９−６０１４０号公報
【発明の開示】
【発明が解決しようとする課題】
【０００３】
断熱基礎工法において次世代省エネルギー基準のＫ値を満たすように発泡樹脂断熱材の厚さを設定すると発泡樹脂断熱材とコンクリート基礎からなる基礎厚さが大きくなってしまう。そのため、基礎が屋外側に張り出し、建物外壁位置よりも飛び出してしまい、建物の外観を損ねてしまうという問題があった。
【０００４】
また、発泡樹脂断熱材を基礎に固定するためコンクリートビスを用いる場合、発泡樹脂断熱材の厚みが増すとコンクリートビスの施工性が悪くなり、コンクリートの緩み等の問題が生じる。
【０００５】
さらに、真空断熱材は高い断熱性能を有しているが、内部を真空にしており真空状態を維持しなければ断熱性能を発揮できないため、真空断熱材の施工時に、傷をつけてしまったり、真空部分を締結具で突き破ってしまったりすると断熱性能が維持できないことがある。また、設置後においても、真空断熱材の表面が露出した状態のままでは破損し易く、断熱性能が維持できないことがある。
【課題を解決するための手段】
【０００６】
上記の課題は、コンクリート製の建物基礎の外周に付設される建物基礎断熱パネルであって、中央部に溝部を有する発泡樹脂断熱材と真空断熱材からなり、該真空断熱材が該発泡樹脂断熱材の溝部に嵌合されたことを特徴とする建物基礎断熱パネルによって解決される。
【０００７】
この建物基礎断熱パネルによれば、発泡樹脂断熱材と比較して断熱性能値が高い真空断熱材を建物基礎の断熱材として用いるため、発泡樹脂断熱材と比較して厚みが薄くても高い断熱性能を発揮することがでる。
【０００８】
また、発泡樹脂断熱材を型枠として利用し、真空断熱材を発泡樹脂断熱材の溝部に嵌合させて一体化させているため、運搬、施工が容易であるばかりでなく、建物基礎に固定する際、発泡樹脂断熱材を介して固定できるため、真空断熱材を破損することなく、真空断熱材の性能を維持したまま基礎断熱材として利用することができる。さらに、基礎断熱パネル取り付け後においても、発泡樹脂断熱材が破損するおそれもなく、基礎断熱性能を長く維持することができる。
【０００９】
真空断熱材は薄くても高い断熱性能を発揮することができるため、基礎断熱材の厚みを薄くすることができ、基礎断熱材を基礎に固定する際も施工性もよく、また建物の外観を見栄えよくすることができる。
【００１０】
また、上記建物基礎断熱パネルにおいて、発泡樹脂断熱材の外周部に穿孔が設けられていてもよい。
【００１１】
発泡樹脂断熱材の外周部において発泡樹脂断熱材固定用の穿孔が設けられていることで、基礎断熱パネルを建物基礎に取り付ける際、ビス等の打ち損じを防ぐと共に、ビス等の固定位置を示すため、誤って基礎断熱パネル中央部すなわち発泡樹脂断熱材の溝部に嵌合された真空断熱材にビス等を突き刺してしまうこともなく、真空断熱材の破損による断熱性能の低下を防止することができる。
【００１２】
さらに上記建物基礎断熱パネルにおいて、発泡樹脂断熱材の溝部のある側と反対の側の発砲樹脂断熱材の表面が粗らされていればよい。
【００１３】
発泡樹脂断熱材の溝部のある側と反対の側つまり、基礎断熱材が建物基礎と接する側と反対側の発泡樹脂断熱材の表面を粗らしておくことで、発泡樹脂断熱材とモルタルとの付着性が向上し、基礎の仕上げ材として、基礎表面部にモルタルを施工するとき、モルタルの基礎への付着をより確実、安定したものとすることができる。
【００１４】
また上記の課題は、コンクリート製の建物基礎の外周に建物基礎断熱パネルが付設させる建物基礎断熱構造であって、該基礎断熱パネルが中央部に溝部のある発泡樹脂断熱材と真空断熱材からなり、該真空断熱材が該発泡樹脂断熱材の溝部に嵌合され、該発砲樹脂断熱材の溝部を有する側をコンクリート基礎立ち上がり部屋外側に接し、該発泡樹脂断熱パネルの外周部に設けられた穿孔を通じて、該基礎断熱パネルがコンクリート基礎に締結具で固定されていることを特徴とする建物基礎断熱構造によっても解決される。
【発明の効果】
【００１５】
本発明の建物基礎断熱パネル及び建物基礎断熱構造は以上のとおりのものであるから、真空断熱材を用い、高い断熱性能の建物基礎断熱を厚みの薄い建物基礎断熱構造で実現することができる。
【発明を実施するための最良の形態】
【００１６】
次に、本発明の実施最良形態を図面に基づいて説明する。
【００１７】
図１（イ）、（ロ）に示す建物基礎断熱パネル１において、２は真空断熱材、３は発泡樹脂断熱材である。真空断熱材２は例えば繊維系からなる芯材の周囲をラミネートフィルムで包み、内部の空気を抜いていくことにより、内部を真空状態としたものである。
【００１８】
図１（ロ）に示すように、発泡樹脂断熱材３は平面視矩形をしており、高さ寸法は建物基礎の立上がり部寸法に合わせた長さとなっており、平面部の外周に縁部３２を残し、中央部に矩形状の溝部３１が設けられている。溝部３１の深さ寸法は、要求される断熱性能とその断熱性能を満たすために必要な溝部３１に嵌合される真空断熱材２の断熱性能により決定されるが、本実施形態では例えば厚さ３０ｍｍの発泡樹脂断熱材に対し、１０ｍｍの深さの溝部３１が設けられている。また、発泡樹脂断熱材３の外周の縁部３２にはビス等の締結具を挿通させる孔が所定のピッチで穿設されている。
【００１９】
建物基礎断熱パネル１は、発泡樹脂断熱材３に設けられた溝部３１に溝部３１と同じ形状の真空断熱材２を嵌合わされる。真空断熱材２は、発泡断熱材３の溝部３１に張られた両面テープにより発泡樹脂断熱材３の溝部３１に固定され、真空断熱材２と発泡樹脂断熱材３が一体化され、建物基礎断熱パネル１として真空断熱材２と発泡樹脂断熱材３が一体化されるため運搬、施工時に一体的に取り扱うことができる。
【００２０】
図２（イ）、（ロ）に本基礎断熱パネルの施工例を示す。５は基礎断熱パネル１が取り付けられるコンクリート基礎、６は基礎の仕上げ材としてのモルタル、７は地盤である。
【００２１】
図３及び図４に示すように、建物施工現場で、コンクリート基礎５を施工した後、コンクリート基礎５の屋外側立ち上がり部に対して、基礎断熱パネル１の真空断熱材２を嵌め合わせた側をコンクリート基礎５の立ち上がり部に向けて、基礎断熱パネル１をコンクリート基礎５の立ち上がり部に取り付けていく。
【００２２】
基礎断熱パネル１の取り付けは、コンクリート基礎フーチング部に基礎断熱パネル１の側面を載置していく。基礎断熱パネル１の１辺の長さはコンクリート基礎の立ち上がり寸法と同じに設定されているので、基礎断熱パネル１を取り付けることにより、コンクリート基礎５の立ち上がり部表面全体を基礎断熱パネル１で覆っていくことができる。
【００２３】
基礎断熱パネル１のコンクリート基礎５への固定は基礎断熱パネル１の外周縁部に設けられた穿孔にコンクリートビス８を挿通させコンクリートビスを基礎に打ち込むことに固定する。
【００２４】
発泡樹脂断熱材３の外周部において発泡樹脂断熱材固定用の穿孔４が設けられていることで、基礎断熱パネルを建物基礎に取り付ける際、ビス等の打ち損じを防ぐと共に、ビス等の固定位置を示すため、誤って基礎断熱パネル中央部すなわち発泡樹脂断熱材の溝部に嵌合された真空断熱材にビス等を突き刺してしまうこともなく、真空断熱材の破損による断熱性能の低下を防止することができる。
【００２５】
基礎断熱パネル１をコンクリート基礎５の長手方向に沿って、基礎断熱パネル１の側面同士を接しながら順次設置、固定していくことで、建物基礎の立ち上がり部外周部分を施工容易に、確実に断熱材で覆っていくことができる。
【００２６】
また、発泡樹脂断熱材を型枠として利用し、真空断熱材を発泡樹脂断熱材の溝部に嵌合させて一体化させているため、運搬、施工が容易であるばかりでなく、建物基礎に固定する際、発泡樹脂断熱材を介して固定できるため、真空断熱材を破損することなく、真空断熱材の性能を維持したまま基礎断熱材として利用することができる。
【００２７】
真空断熱材は薄くても高い断熱性能を発揮することができるため、基礎断熱材の厚みを薄くすることができ、基礎断熱材を基礎に固定する際も施工性よく、また建物の外観を見栄えよくすることができる。
【００２８】
図５に本発明の第２の実施形態を示す。８は、基礎断熱パネル１を構成する発泡樹脂断熱材３の溝部３１と反対の側にもうけられた線状の溝である。この線状の溝により、基礎断熱パネル１をコンクリート基礎５に取り付けた後、仕上げ層としてモルタルを施工するときに建物基礎断熱パネル１とモルタル６との付着性をよくすることができる。
【００２９】
以上に、本発明の実施形態を示したが、本発明はこれに限られるものではなく、発明思想を逸脱しない範囲で各種の変更が可能である。例えば、実施例において発泡樹脂断熱材３の溝部として矩形状の溝部を示したが、矩形に限られるわけでもなく、溝部の形状は円形でもよく、線状の溝部が複数設けられていてもよい。要は、発泡樹脂断熱材の任意の形状の溝部に溝部と同形状の真空断熱材が嵌合され、真空断熱材と発泡樹脂断熱材とが一体となって建物基礎断熱パネルを構成すればよい。
【００３０】
また、第２の実施形態で、線状の溝により建物基礎断熱パネル１を構成する発泡樹脂断熱材の表面を粗らした場合を示したが、表面を粗らす手段を発泡樹脂断熱材の表面に線状の溝を設けることに限らず、任意の凹凸をつけてもよいし、薬品等により表面処理を施してもよい。要は、建物基礎断熱パネルへのモルタルの付着性が上がるように建物基礎断熱パネル１構成する発泡樹脂断熱パネルの表面が仕上げられていればよい。
【図面の簡単な説明】
【００３１】
【図１】（イ）は実施形態の基礎断熱パネルを示す斜視図であり、（ロ）はその分解斜視図である。
【図２】（イ）はコンクリート基礎へ断熱基礎パネルを取り付けた状態を示す斜視図、（ロ）は基礎断熱の仕上がり状態を示す断面図である。
【図３】（イ）及び（ロ）は、図４と共にコンクリート基礎に基礎断熱パネルを取り付ける施工状況を示す断面図である。
【図４】図３と共にコンクリート基礎に基礎断熱パネルを取り付ける施工状況を示す斜視図である。
【図５】本断熱基礎パネルの他の実施例を示す斜視図である。
【符号の説明】
【００３２】
１・・・建物断熱基礎パネル
２・・・真空断熱材
３・・・発泡樹脂断熱材
３１・・・縁部
３２・・・溝部
４・・・穿孔
５・・・コンクリート基礎
６・・・モルタル
７・・・地盤
８・・・コンクリートビス
【図１】
2007198004.tif 000003
【図２】
2007198004.tif 000004
【図３】
2007198004.tif 000005
【図４】
2007198004.tif 000006
【図５】
2007198004.tif 000007